(57)【特許請求の範囲】
【請求項１】
受信メールデータを記憶する受信メール記憶手段と、送信メールデータを記憶する送信メール記憶手段と、前記各データを選択的に読み出して表示するメール表示手段と、送信メールデータを入力するための入力手段と、制御手段とを有し、
前記制御手段は、前記受信メールの表示時に前記入力手段からテキストデータである送信メールデータの入力があると、送信メール作成モードに切り替え、当該送信メールデータを前記送信メール記憶手段に書き込むと共に、当該送信メール記憶手段に書き込まれたテキストデータである送信メールデータを前記メール表示手段に表示せしめるよう制御することを特徴とするメールデータ処理装置。
【請求項２】
表示手段と、送信メールデータを記憶する送信メール記憶手段と、送信メールデータを入力するための入力手段と、制御手段とを有し、
前記制御手段は、受信メールの表示時に前記入力手段からテキストデータである送信メールデータの入力があると、送信メール作成モードに切り替え、当該送信メールデータを前記送信メール記憶手段に書き込むと共に、当該送信メール記憶手段に書き込まれたテキストデータである送信メールデータを前記メール表示手段に表示せしめるよう制御することを特徴とするメールデータ処理装置。
【請求項３】
受信メールデータを表示する受信メール表示ステップと、当該受信メールの表示時にテキストデータである送信メールデータの入力を検出する入力検出ステップと、当該入力検出ステップにてテキストデータである送信メールデータの入力が検出されたことに応じ前記送信メールデータを記憶手段に記憶せしめる送信メール記憶ステップと、前記入力検出ステップにてテキストデータである送信メールデータの入力が検出されたことに応じ前記受信メール表示ステップにて表示されている表示内容を前記入力されたテキストデータである送信メールデータに係る表示内容に切り替える表示切り替えステップとを有することを特徴とするメールデータ処理方法。
【発明の詳細な説明】
【０００１】
【発明の属する技術分野】
本発明は、メールデータ処理装置に関し、特に、ＰＨＳ（Personal Handy-phone System）端末等の携帯情報端末に用いて好適なものである。
【０００２】
【従来の技術】
既存の情報携帯端末には、端末間でメールを交互にやりとりする、いわゆるチャットメール機能が装備されている。かかる機能においては、受信メールを表示した中に送信メールを作成するには、一旦、モード変更キーの操作によって受信メールモードから送信メールモードに変更し、しかる後、文字の入力を行うようになされていた。
【０００３】
【発明が解決しようとする課題】
しかしながら、このようにモードをキー操作によって一々切り替えるのは、ユーザにとって面倒である。特に、ＰＨＳ端末のように小スペースのキーを操作する場合には、少しでも操作回数を省略でき、操作を簡便化するのが好ましい。
【０００４】
そこで、本発明は、かかる不都合を解消し、受信メールの表示状態から送信文書の入力を簡便に行い得るデータ処理装置を提供しようとするものである。
【０００５】
【課題を解決するための手段】
上記課題を解決すべく、本発明は、以下の特徴を有する。
【０００７】
請求項１の発明は、受信メールデータを記憶する受信メール記憶手段と、送信メールデータを記憶する送信メール記憶手段と、前記各データを選択的に読み出して表示するメール表示手段と、送信メールデータを入力するための入力手段と、制御手段とを有し、前記制御手段は、前記受信メールの表示時に前記入力手段からテキストデータである送信メールデータの入力があると、送信メール作成モードに切り替え、当該送信メールデータを前記送信メール記憶手段に書き込むと共に、当該送信メール記憶手段に書き込まれたテキストデータである送信メールデータを前記メール表示手段に表示せしめるよう制御することを特徴とするメールデータ処理装置である。
【０００９】
請求項２の発明は、表示手段と、送信メールデータを記憶する送信メール記憶手段と、送信メールデータを入力するための入力手段と、制御手段とを有し、前記制御手段は、受信メールの表示時に前記入力手段からテキストデータである送信メールデータの入力があると、送信メール作成モードに切り替え、当該送信メールデータを前記送信メール記憶手段に書き込むと共に、当該送信メール記憶手段に書き込まれたテキストデータである送信メールデータを前記メール表示手段に表示せしめるよう制御することを特徴とするメールデータ処理装置である。
【００１１】
請求項３の発明は、受信メールデータを表示する受信メール表示ステップと、当該受信メールの表示時にテキストデータである送信メールデータの入力を検出する入力検出ステップと、当該入力検出ステップにてテキストデータである送信メールデータの入力が検出されたことに応じ前記送信メールデータを記憶手段に記憶せしめる送信メール記憶ステップと、前記入力検出ステップにてテキストデータである送信メールデータの入力が検出されたことに応じ前記受信メール表示ステップにて表示されている表示内容を前記入力されたテキストデータである送信メールデータに係る表示内容に切り替える表示切り替えステップとを有することを特徴とするメールデータ処理方法である。
【００１３】
【発明の実施の形態】
本発明の実施の形態につき図面を参照して説明する。
【００１４】
図１に示すとおり、本データ処理装置は、入力部１０と、編集処理部２０と、出力部３０と、制御部４０と、ＶＲＡＭ（Video Read Only Memory）５０と、表示処理部６０とを有している。
【００１５】
入力部１０は、文章データの入力やメールの送信、受信メールの表示、ファンクションの切り替え等の各種の指令を入力するためのもので入力キーを含む。編集処理部２０は、テキストデータに関する各種編集を行うためのものである。出力部３０は、ＶＲＡＭ５０に展開されたビットマップデータに従って文字情報を表示するもので、例えばＬＣＤ表示器から構成されている。制御部４０は、制御プログラムに従って各部の制御を行うもので、ワークエリアとしてのＲＡＭ（Random Access Memory）および上記制御ログラムを記録したＲＯＭ（Read Only Memory）を内蔵する。ＶＲＡＭ５０は、出力部３０に表示する１画面分のビットマップデータを表示処理部６０から受け取り、これを記憶する。表示処理部６０は、編集処理部２０から転送されたテキストデータ（文字コード）を処理して１画面分のビットマップデータを生成し、これをＶＲＡＭ５０上に書き込む。
【００１６】
なお、上記制御部４０のＲＯＭは、本データ処理装置に内蔵されていても良いし、また、いわゆるＣＤ−ＲＯＭのように、外部から装着されてプログラムを当該装置内の記憶部にインストールするようなものでも良い。
【００１７】
また、上記編集処理部２０は、テキスト処理部２１、受信メールバッファ２２、送信メールバッファ２３を含む。この内、テキスト処理部２１は、受信メールバッファ２２および送信メールバッファ２３に対するテキストデータの書き込みおよび消去を制御する。受信メールバッファ２２は、メール通信によって配信されたテキストデータを、上記テキスト処理部２１による制御に応じて記憶する。送信メールバッファ２３は、入力部１０から入力されたテキストデータあるいは図示しないコピー領域にコピーされたテキストデータを、上記テキスト処理部２１による制御に応じて記憶する。
【００１８】
また、表示処理部６０は、フォント処理部６１およびテキスト表示制御部６２を含む。この内、フォント処理部６１は、テキスト表示制御部６２からの制御に応じて、テキストデータをビットマップデータに変換する。テキスト表示制御部６０は、出力部４０に表示すべき文字の状態に応じた表示となるようにフォント処理部６１を制御し、ここで生成されたビットマップデータをＶＲＡＭ５０に書き込む。
【００１９】
次に、上記データ表示装置の動作について説明する。
【００２０】
（１）受信メール表示処理
入力部１０からの入力指令に応じて、受信メールバッファ２２から表示すべき受信メールに応じたテキストデータが読み出され、これが表示処理部６０に送られる。表示処理部６０は、当該テキストデータから１画面分のビットマップデータを生成し、これをＶＲＡＭ５０に書き込む。出力部３０は、かかるＶＲＡＭ５０に記憶されたビットマップデータに応じた画像を出力する。
【００２１】
（２）送信メール作成処理
入力部１０からのキー入力に応じて、入力文字に対応するテキストデータがテキスト処理部２１にて生成され、これが送信メールデータバッファ２３に書き込まれる。また、送信メールデータバッファ２３に書き込まれたテキストデータは、表示処理部６０に送られる。表示処理部６０は、当該テキストデータから１画面分のビットマップデータを生成し、これをＶＲＡＭ５０に書き込む。出力部３０は、かかるＶＲＡＭ５０に記憶されたビットマップデータに応じた画像を出力する。
【００２２】
送信メールの作成が終了すると、ユーザからの送信指令入力に応じて、送信メールバッファ２３に記憶されたデータが図示しない通信処理部にてパケットデータに変換され、これが通信部から送信される。同時に、当該送信メールの管理情報が、制御部４０にて記憶される。
【００２３】
（３）チャット処理
受信メールの表示時に文字入力のためのテンキーが操作されると、これに応じて、送信メール作成モードに切り替え制御される。図２に、かかる切り替え処理のフローチャートを示す。
【００２４】
まず、ステップＳ１にて、受信メールが表示される。かかる状態から、所定のキーが入力されると（Ｓ２）、当該キーが文字キーであるかが判別される（Ｓ３）。ここで、Ｙｅｓならば、当該文字キーに対応するテキストデータを送信メールデータバッファ２３に書き込む（Ｓ５）。そして、当該送信メールデータバッファ２３のテキストデータをビットマップデータに変換し、これをＶＲＡＭ５０に送って、出力部３０上に表示せしめる（Ｓ６）。
【００２５】
ステップＳ３にてＮｏであれば、次に、当該入力キーが終了キーであるかが判別される（Ｓ４）。ここで、Ｙｅｓであれば、メール表示が終了される。また、Ｎｏであれば、次のキー入力を待機する。
【００２６】
図３に、チャット処理時の表示例を示す。同図は、受信メールの表示時に、かな文字の「あ」を入力した際の動作を示すものである。図示のように、受信メールの表示時にかな入力を行うと、送信メール作成モードに切り替わる。このように、本実施の形態によれば、受信メール表示モードから送信メール表示モードに一々キー操作を行って切り替えなくとも、受信メールの表示状態においてかな入力を行えば自動的に送信メール作成モードに切り替わり、しかも、その際入力されたかな文字が有効なものとして送信メールデータバッファ２３に記憶されるので、チャット機能時の操作性および利便性を向上させることができる。
【００２７】
以上、本発明の実施の形態について説明したが、本発明は、かかる実施の形態に制限されるものではなく、他に、種々の変更が可能であることは言うまでもない。
【００２８】
【発明の効果】
以上、本発明によれば、受信メールの表示状態において送信メールデータの入力を行えば自動的に送信メール作成モードに切り替わり、しかも、その際入力された送信メールデータが有効なものとして送信メール記憶手段に記憶されるので、チャット動作時における装置の操作性および利便性を向上させることができる。
【図面の簡単な説明】
【図１】  実施の形態のブロック構成を示す図。
【図２】  実施の形態の具体的処理を示すフローチャート。
【図３】  実施の形態の動作例を示す図。
【符号の説明】
１０  入力部
２０  編集処理部
２１  テキスト処理部
２２  受信メールデータバッファ
２３  送信メールデータバッファ
３０  出力部
４０  制御部
５０  ＶＲＡＭ
６０  表示処理部
６１  フォント処理部
６２  テキスト表示処理部
【図１】
0004169436.tif 000002
【図２】
0004169436.tif 000003
【図３】
0004169436.tif 000004